(57)【要約】【課題】小部数少頁の上製本を簡易かつ廉価にて製造する。【解決手段】本文１と、本文の始頁側と終頁側とに接着された見返し２，３と、本文及び見返しを包んだ状態で、表表紙４ａ及び裏表紙４ｂが見返しに接着され、背表紙４ｃが本文１の背に接着された表紙４とからなる本において、本文が印刷された枚葉紙１ａの集合体からなり、この枚葉紙の集合体の背がホットメルト接着剤層５によって下固めされ、このホットメルト接着剤層と背表紙とが補強層１０，１１を介して接合される。【選択図】図２
2011212879.tif 000002
【特許請求の範囲】
【請求項１】
本文と、本文の始頁側と終頁側とに接着された見返しと、上記本文及び見返しを包んだ状態で、表表紙及び裏表紙が上記見返しに接着され、背表紙が上記本文の背に接着された表紙とからなる本において、上記本文が印刷された枚葉紙の集合体からなり、この枚葉紙の集合体の背がホットメルト接着剤層によって下固めされ、このホットメルト接着剤層と上記背表紙とが補強層を介して接合されたことを特徴とする本。
【請求項２】
請求項１に記載の本において、上記ホットメルト接着剤が、ＰＵＲホットメルト接着剤であることを特徴とする本。
【請求項３】
請求項１に記載の本において、上記補強層が、接着剤層又は寒冷紗及び背紙が接着剤層を介して積層された積層体であることを特徴とする本。
【請求項４】
枚葉印刷機で印刷され排出される枚葉紙を集積して本文とする工程と、この本文の始頁側と終頁側とに、見返しを接着する工程と、本文の背にホットメルト接着剤層を形成して下固めを行う工程と、本文を表紙で包み、見返しと表表紙及び裏表紙とを接着し、本文の背と背表紙とを補強層を介して接合する工程とを包含してなることを特徴とする製本方法。
【請求項５】
請求項４に記載の製本方法において、上記ホットメルト接着剤をＰＵＲホットメルト接着剤とすることを特徴とする製本方法。
【請求項６】
請求項４に記載の製本方法において、上記補強層を、接着剤層又は寒冷紗及び背紙が接着剤を介して積層された積層体とすることを特徴とする製本方法。
【発明の詳細な説明】
【技術分野】
【０００１】
本発明は、上製本等の本及びその製本方法に関する。
【背景技術】
【０００２】
従来、上製本等と同様な高級感のある本を簡易かつ廉価に製造する方法が幾つか試みられている。
【０００３】
これには、一枚の見返しの背部を折丁の集積体である本文の背に接着し、この見返しの背部を間にした両側を表表紙と裏表紙に夫々接着した後に、三方断裁する方法（例えば、特許文献１参照。）や、見返しを折丁の集積体からなる本文の両面に各々当てたうえでＥＶＡ（Ethylene Vinyl Acetate Copolymer）ホットメルトでそれらの背を仮止めし、三方断裁し、その後ＥＶＡホットメルトの付着した近傍で断裁し、この断裁後の背にＰＵＲ（Poly Urethane Reactive）ホットメルト接着剤を塗布して表紙でくるむ方法（例えば、特許文献２参照。）がある。
【先行技術文献】
【特許文献】
【０００４】
【特許文献１】特開平８−２８２１４９号公報
【特許文献２】特開２００９−２１４４３０号公報
【発明の概要】
【発明が解決しようとする課題】
【０００５】
従来の製本方法は、１６頁、３２頁等多面付け印刷した紙葉を折り畳んでなる折丁を他の折丁と共に重ね合わせ、また、折丁の背は糸綴じ、無線綴じ等によって綴じることによって本文を形成するので、ページ数の多い本の製造には適するが、ページ数の少ない本や、小部数の本の製造にはコストが高くつき、材料ロスも多く、不向きである。また、出来上がった本はその背が脆弱であり、頁が分離しやすいという問題がある。また、出来上がった本の見栄えも良くないという問題もある。
【０００６】
本発明は、上記課題を解決することができる本及び製本方法を提供しようというものである。
【課題を解決するための手段】
【０００７】
上記課題を解決するため、本発明は次のような構成を採用する。
【０００８】
なお、本発明の理解を容易にするため括弧付きの符号を付すが、本発明はこれに限定されるものではない。
【０００９】
すなわち、請求項１に係る発明は、本文（１）と、本文（１）の始頁側と終頁側とに接着された見返し（２，３）と、上記本文（１）及び見返し（２，３）を包んだ状態で、表表紙（４ａ）及び裏表紙（４ｂ）が上記見返し（２，３）に接着され、背表紙（４ｃ）が上記本文（１）の背に接着された表紙（４）とからなる本において、上記本文（１）が印刷された枚葉紙（１ａ）の集合体からなり、この枚葉紙の集合体の背がホットメルト接着剤層（５）によって下固めされ、このホットメルト接着剤層（５）と上記背表紙（４ｃ）とが補強層（１０，１１）を介して接合された本を採用する。
【００１０】
請求項２に記載されるように、請求項１に記載の本において、上記ホットメルト接着剤は、ＰＵＲホットメルト接着剤とすることができる。
【００１１】
請求項３に記載されるように、請求項1に記載の本において、上記補強層は、接着剤層又は寒冷紗（１０）及び背紙（１１）が接着剤層（１２）を介して積層された積層体とすることができる。
【００１２】
請求項４に係る発明は、枚葉印刷機で印刷され排出される枚葉紙（１ａ）を集積して本文（１）とする工程と、この本文（１）の始頁側と終頁側とに、見返し（２，３）を接着する工程と、本文（１）の背にＰＵＲホットメルト接着剤層（５）を形成して下固めを行う工程と、本文（１）を表紙（４）で包み、見返し（２，３）と表表紙（４ａ）及び裏表紙（４ｂ）とを接着し、本文（１）の背と背表紙（４ｃ）とを補強層（１０，１１）を介して接合する工程とを包含してなる製本方法を採用する。
【００１３】
請求項５に記載されるように、請求項４に記載の製本方法において、上記ホットメルト接着剤をＰＵＲホットメルト接着剤とすることができる。
【００１４】
請求項６に記載されるように、請求項４に記載の製本方法において、上記補強層として、接着剤層又は寒冷紗（１０）及び背紙（１１）が接着剤（１２）を介して積層された積層体とすることができる。
【発明の効果】
【００１５】
本発明によれば、本文（１）と、本文（１）の始頁側と終頁側とに接着された見返し（２，３）と、上記本文（１）及び見返し（２，３）を包んだ状態で、表表紙（４ａ）及び裏表紙（４ｂ）が上記見返し（２，３）に接着され、背表紙（４ｃ）が上記本文（１）の背に接着された表紙（４）とからなる本において、上記本文（１）が印刷された枚葉紙（１ａ）の集合体からなり、この枚葉紙（１ａ）の集合体の背がホットメルト接着剤層（５）によって下固めされ、このホットメルト接着剤層（５）と上記背表紙（４ｃ）とが補強層（１０，１１）を介して接合された本であるから、少頁数の本であったり、少部数の本であったりしても、簡易かつ廉価にて製造することができ、しかも、容易に頁が分離しない強度を付与することができ、さらに、上製本等と同様な見栄えの良さを付与することができる。
【図面の簡単な説明】
【００１６】
【図１】本発明の実施の形態１に係る本の斜視図である。
【図２】図１中、ＩＩ−ＩＩ線矢視断面図である。
【図３】本発明の製本方法の手順を示すフローチャートである。
【図４】本発明の実施の形態２に係る本の図２と同様な断面図である。
【図５】本発明の実施の形態３に係る本の図２と同様な断面図である。
【発明を実施するための形態】
【００１７】
以下、図面を参照して本発明を実施するための形態について説明する。
【００１８】
＜実施の形態１＞
図１及び図２に示すように、この本は、本文１の始頁側と終頁側とに、二つ折りされた見返し２，３が接着され、本文１及び見返し２，３が表紙４により包まれ、見返し２，３と表紙４における表表紙４ａ及び裏表紙４ｂとが接着され、本文１の背と背表紙４ｃとが接着されることにより構成される。
【００１９】
上記本文１は、図示しない枚葉印刷機で印刷され、そのデリバリ部に棒積み状態で排出された枚葉紙１ａの集合体からなる。この枚葉紙１ａの集合体の背がＰＵＲ（Poly Urethane Reactive）ホットメルト接着剤からなる接着剤層５によって下固めされることによって本文１が形成される。
【００２０】
枚葉印刷機としては、デジタルプリンタを用いることが可能である。インクジェット印刷、静電印刷等その印刷方式の種類の如何は問わない。
【００２１】
この枚葉印刷機で印刷される枚葉紙１ａのサイズは本の判のサイズと同程度であるのが望ましい。たとえば、ＪＩＳのＡ列4番、Ｂ列５番等である。このようなサイズの枚葉紙１ａが枚葉印刷機で印刷されて排出され、棒積みすなわち集合体として積み重ねられる。そして、本の背に相当する箇所が垂直面状に揃えられる。
【００２２】
この本文１の背となる垂直面にホットメルト接着剤の一種であるＰＵＲホットメルト接着剤が塗布され、これにより本文の背が固められ、枚葉紙１ａが本文１から分離しないように一体化される。ＰＵＲホットメルト接着剤は、ポリウレタン系反応型ホットメルト接着剤である。この接着剤が下固めに用いられることから、本の強度が高められ、本を繰り返し開閉しても背に亀裂が入り難くなり、頁が分離し難くなる。
【００２３】
なお、本文１の背には、あらかじめ多数の細かい切り込みを形成するなど、ＰＵＲホットメルト接着剤が本文１の各枚葉紙１ａの背に含浸しやすくするための処理をしておくことも可能である。
【００２４】
見返し２は、本文１を構成する枚葉紙１ａの略倍サイズの用紙が二つ折りされることにより形成され、一冊の本の表裏に接着するものとして一対用意される。図２に示すように、この見返し２，３の折り目の近傍が、本文１の始頁側と終頁側とに各々接着剤層６，７を介し接着される。この接着剤としては、酢酸ビニル樹脂エマルジョン接着剤等のエマルジョン接着剤や、水糊等を使用することができる。
【００２５】
上記本文１が表紙４によって包まれると同時に、上記見返し２，３と表表紙４ａ及び裏表紙４ｂとが接着剤層８，９を介して接着され、本文１の背と背表紙４ｃとが後述する補強層を介して接着される。
【００２６】
見返し２，３と表紙４とを接着する接着剤としては、上記本文１と見返し２，３との接着に用いられたものと同様な水糊等を用いることができる。
【００２７】
表紙４としては、その表表紙４ａ、背表紙４ｃ、裏表紙４ｂが、図示しないボール紙等の腰のある腰部材で補強された上製本用の表紙が用いられる。この表紙４の表表紙４ａ及び裏表紙４ｂにおける腰部材の内面が、見返し２，３に対して上記エマルジョン接着剤等の接着剤層８，９により接着される。この接着剤は、望ましくは表表紙４ａ及び裏表紙４ｂに対向する見返し２，３の全面にベタ塗りされる。
【００２８】
本文１の背と背表紙４ｃとの間には、図２に示すように、寒冷紗１０及び背紙１１が上記エマルジョン接着剤と同様な接着剤からなる接着剤層１２を介して積層された積層体からなる補強層が介在する。この補強層がエマルジョン接着剤等の他の接着剤層１３，１４を介して、本文１の背と背表紙４ｃとに接着される。
【００２９】
寒冷紗１０の天地方向に伸びる両側は、表紙１の溝１ｂの内側に接着される。これにより、本１の背の強度が高められる。
【００３０】
背紙１１は上記接着剤層１２を介して上記寒冷紗１０の上に貼着され、また、上記接着剤層１４を介して背表紙４ｃの腰部材に貼着される。背紙１１としては、一枚の紙に限らず、複数枚の同種の紙を積層して用いても良いし、クラフト紙とボール紙のごとく異種の紙を積層して用いてもよい。
【００３１】
なお、図示しないが、背紙１１の上下端には、本の背の上下端を装飾する花布（はなぎれ）を貼着してもよい。
【００３２】
また、上記補強層は、寒冷紗１０等の積層体に限らず、エマルジョン接着剤等の接着剤層であってもよい。
【００３３】
さらに、本文１の背には、丸身出し、耳出し等を行ってもよい。
【００３４】
次に、上記本を製造するための製本方法について図３のフローチャートに従って説明する。
【００３５】
（１）まず、デジタルプリンタ等の枚葉印刷機によって、所定の版サイズの枚葉紙１ａに所望の内容が印刷され、枚葉状態のままでデリバリ部に排出される（ステップＳ１）。
【００３６】
（２）印刷された枚葉紙１ａは、枚葉印刷機のデリバリ部に棒積み状態で集積される（ステップＳ２）。
【００３７】
必要に応じて、他の棒積み状態で集積された他の枚葉紙１ａの集合体と重ね合わせて本文１とする。
【００３８】
この枚葉紙１ａの集合体からなる本文１の背が、垂直面を形成するように整えられる。
【００３９】
（３）本文１の背となる垂直面にＰＵＲホットメルト接着剤が塗布され、接着剤層５が形成される（ステップＳ３）。このＰＵＲホットメルト接着剤層５によって、本文１の下固めが行われ、重ねられた多数の枚葉紙１ａ同士が本文１として一体化される。
【００４０】
なお、このＰＵＲホットメルト接着剤を塗布する前に、本文１の背の垂直面に多数の細かい切り込み等を形成し、ＰＵＲホットメルト接着剤が枚葉紙１ａの繊維内に含浸しやすいように処理しておくことができる。
【００４１】
その後、本文１が静置される。これにより本文１の背に塗布形成されたＰＵＲホットメルト接着剤層５が乾燥する。
【００４２】
（４）本文１の始頁側と終頁側とに、二つ折りされた見返し２，３が、例えばエマルジョン接着剤よりなる接着剤層６，７を介して接着される（ステップＳ４）。
【００４３】
なお、このステップＳ４と上記ステップＳ３は順序を入れ替えることも可能である。
【００４４】
（５）見返し２，３が接着された本文１は、そのＰＵＲホットメルト接着剤が塗布された背を除き、天、地及び小口の三方が断裁され、整えられる（ステップＳ５）。
【００４５】
（６）断裁された本文１の背に対し、必要に応じて丸身出しが行われ、本文１の背の垂直面が湾曲面とされる（ステップＳ６）。
【００４６】
（７）断裁された本文１の背に対し必要に応じて耳出しが行われ、本文１の背の両側に凸条が形成される。耳出しにより、本文１の背が固く締められて型崩れし難くなり、小口側にせり出し難くなり、頁を開きやすくなる（ステップＳ７）。
【００４７】
（８）エマルジョン接着剤等が本文１の背に塗布されることにより、ＰＵＲホットメルト接着剤よりなる接着剤層５の上に他の接着剤層１３が形成される（ステップＳ８）。
【００４８】
（９）ステップＳ８で形成された接着剤層１３によって寒冷紗１０が本文１の背に貼着される（ステップＳ９）。
【００４９】
（１０）エマルジョン接着剤等が本文１の背に塗布されることによってステップＳ９で貼着された寒冷紗１０の上にさらに他の接着剤層１２が形成される（ステップＳ１０）。
【００５０】
（１１）ステップＳ１０で形成された接着剤層１２によって、背紙１１が本文１の背に貼着される（ステップＳ１１）。
【００５１】
必要に応じてステップＳ１０とステップＳ１１が繰り返され、他の背紙が本文１の背に貼着される。
【００５２】
（１２）また、背紙１１の貼着と同時期に、図示しない花布が本文１の背における天地側の端縁に貼着される。この花布の貼着には、例えばステップＳ１０で形成された接着剤層１２が利用される。この花布によって、枚葉紙１ａとＰＵＲホットメルト接着剤層５との境目が本の天地において隠蔽される（ステップＳ１２）。
【００５３】
上記ステップ９からステップ１２までの工程によって、本の背固めが行われる。
【００５４】
（１３）本文１に貼着された見返し２，３における本文１外に露出した全面に、エマルジョン接着剤等が塗布され、接着剤層８，９が形成される（ステップＳ１３）。
【００５５】
また、本文１の背における背紙１１の表面にもエマルジョン接着剤等が塗布され、接着剤層１４が形成される。
【００５６】
（１４）表紙４が別途用意され、この表紙４で本文１が包まれると同時に、表表紙４ａ及び裏表紙４ｂが本文１側に接着された見返し２，３に貼着され、背表紙４ｃが本文１の背に背紙１１及び花布の上から貼着される（ステップＳ１４）。
【００５７】
（１５）その後、背表紙４ｃ側からイチョウプレスが数回繰り返され、銀杏型が本の背に付与される。これにより、本が上製本として完成する。
【００５８】
＜実施の形態２＞
図４に示すように、この実施の形態２に係る本では、実施の形態１の場合における見返し２，３と異なり、一枚の紙葉からなる見返し２が用いられている。
【００５９】
すなわち、一枚の紙葉が表紙４の表表紙４ａ、背表紙４ｃ、裏表紙４ｂに渡って延びることにより見返し２が形成される。そして、見返し２の背はエマルジョン接着剤等よりなる接着剤層１３ａによってＰＵＲホットメルト接着剤よりなる接着剤層５に接着され、また、エマルジョン接着剤等よりなる接着剤層１３ｂによって寒冷紗１０に接着される。
【００６０】
この場合、見返し２の背がＰＵＲホットメルト接着剤層５と背表紙４ｃとの間で補強層として機能する。
【００６１】
その他、実施の形態２において、実施の形態１と同じ部分には同じ符号を用いて示し、重複した説明を省略する。
【００６２】
＜実施の形態３＞
図５に示すように、この実施の形態３に係る本では、実施の形態１の場合における見返し２，３が各々本文１の枚葉紙と略同じ大きさの紙葉紙で形成される。そして、見返し２，３が、表紙４の表表紙４ａと裏表紙４ｂ及び本文１の始頁と終頁に各々接着される。
【００６３】
その他、実施の形態３において、実施の形態１と同じ部分には同じ符号を用いて示し、重複した説明を省略する。
【００６４】
なお、本発明は、上記実施の形態に限定されるものではなく、種々の変更が可能である。
【符号の説明】
【００６５】
１…本文
１ａ…枚葉紙
２，３…見返し
４…表紙
４ａ…表表紙
４ｂ…裏表紙
４ｃ…背表紙
５…ＰＵＲホットメルト接着剤層
１０…寒冷紗
１１…背紙
１２…接着剤層
【図１】
2011212879.tif 000003
【図２】
2011212879.tif 000004
【図３】
2011212879.tif 000005
【図４】
2011212879.tif 000006
【図５】
2011212879.tif 000007